(57)【要約】【課題】ペットを囲い込むサークルやケージとして使用するほかに、組み替えることによって、ペットの通過を阻むゲートとして使用することも可能なペット用柵の提供。【解決手段】端部２１ａ，２２ａ，２３ａ，２４ａ同士が連結可能な複数枚の柵部材２１，２２，２３，２４を有するペット用柵１１であって、上記柵部材２１，２２，２３，２４のうち少なくとも１枚の柵部材２３，２４における幅方向の中間部に、他の柵部材２１，２２における幅方向の端部２１ａ，２２ａを着脱可能に連結する連結部２７が設けられたペット用柵１１。【選択図】図４
2007189938.tif 000002
【特許請求の範囲】
【請求項１】
端部同士が連結可能な複数枚の柵部材を有するペット用柵であって、
上記柵部材のうち少なくとも１枚の柵部材における幅方向の中間部に、他の柵部材における幅方向の端部を着脱可能に連結する連結部が設けられた
ペット用柵。
【請求項２】
前記連結部に、柵部材同士を連結する連結手段が備えられた
請求項１に記載のペット用柵。
【請求項３】
前記柵部材の下端面に、置いた時に対向面に面接触する接地面が形成された
請求項１または請求項２に記載のペット用柵。
【請求項４】
前記連結部に連結される柵部材に、他の柵部材と重なり合うように結合する結合手段が備えられた
請求項１から請求項３のうちのいずれか一項に記載のペット用柵。
【発明の詳細な説明】
【技術分野】
【０００１】
この発明は、たとえば室内で犬や猫などのペットを飼う場合にペットの行動を規制するためのペット用柵に関し、より詳しくは、サークル若しくはケージとして使用するほかに、必要に応じてゲートとしても使用できるようなペット用柵に関する。
【背景技術】
【０００２】
ペット用サークルは、金属線を縦横に組んで構成した４枚のフェンスと、これらを連結するための連結金具で構成される。つまり、フェンスの端部同士を連結金具で連結すると、平面視方形枠状をなすペット用サークルが形成される。このペット用サークル内にペットを収容すると、ペットの行動範囲を規制することができる。
【０００３】
しかし、このペット用サークルは一定の形状に形成されるものであり、ペット用サークルの形態の変更は、使用するフェンスを替えて大きさを変更する程度しか自由がなかった。
【０００４】
このような状況のもと、形態の変更が可能なペット用サークルとして、下記特許文献１に記載のものが提案された。しかしこれは、フェンスの角度を９０度以外にも段階的に変更できるようにするものであって、他の機能を有するものに変更することはできない。ペット用サークルはあくまでも、囲いであるサークルとして、あるいは底板と蓋板を取り付けてケージとして使用するしかできなかった。
【０００５】
ペット用サークルやペット用ケージのほかにペットの行動を規制するものとして、たとえば下記特許文献２に開示されているようなペット用ゲートがある。ペット用ゲートは、ペットが室内から室内、室内から廊下等へ通過するのを規制するものである。しかし、このようなペット用ゲートも、ゲートとしてしか使用できない。
【０００６】
ペットを飼っていると、ペット用サークルを使用しているときにはペット用ゲートは不要であり、一方、ペット用ゲートを使用しているときにはペット用サークルが不要であることが多い。両者とも別の機能を有するからである。しかし、ペット用サークルだけでも場所を取るのに、ペット用ゲートも併せて購入するというのは、一方の機能が不要なときの保管や購入費用の面で無駄になるという問題点がある。
【０００７】
これまで、ペット用サークルとペット用ゲートを組み替え可能にしたものは存在しない。
【０００８】
【特許文献１】特許第３６５２４２１号公報
【特許文献２】特開２００２−２１３７６号公報
【発明の開示】
【発明が解決しようとする課題】
【０００９】
そこで、この発明は、ペットを囲い込むサークルやケージとして使用するほかに、必要に応じて組み替えることによって、ペットの通過を阻むゲートとして使用することも可能にすることを主たる課題とする。
【課題を解決するための手段】
【００１０】
そのための手段は、端部同士が連結可能な複数枚の柵部材を有するペット用柵であって、上記柵部材のうち少なくとも１枚の柵部材における幅方向の中間部に、他の柵部材における幅方向の端部を着脱可能に連結する連結部が設けられたペット用柵である。上記中間部とは、幅方向の中心位置のみではなく、幅方向の内側に入った位置を含む意味である。また上記連結は、直角に行われるほか、適宜角度に変更可能に行われるものであるもよい。
【００１１】
上記構成によれば、ペット用柵をペット用サークルやペット用ケージとして使用する場合には、各柵部材の端部同士を連結して周囲を囲む形態に組み立てる。一方、各柵部材を分解して、連結部を有する柵部材の連結部に、他の柵部材における幅方向の端部を連結すると、該他の柵部材を立てることができ、ペットの通過を阻むペット用ゲートとして使用することができるようになる。つまり、連結部を有する柵部材の連結部が、柵部材の幅方向の中間部に形成されているので、この柵部材が他の柵部材を立てる作用をする。このため、連結部を有する柵部材をたとえば壁や柱等に沿わせるようにして必要場所に設置することで、ペット用ゲートとして使用できる。なお、上記連結部での連結は、一体に形成され、あるいは付属された適宜の手段や別途に用意される適宜の手段で連結される。
【００１２】
ここで、上記構成要素については、次のような態様に構成することができる。
【００１３】
その態様の一つは、上記連結部に、柵部材同士を連結する連結手段が備えられたものである。連結手段は、ねじ構造や、ボルト等の軸部材及びこれを通す挿通孔、嵌合構造等適宜の手段で形成される。
【００１４】
すなわち、一体または付属された連結手段により連結が行えるので、別途に用意される手段で連結する場合にして、組み立てや組み替え作業や部品の管理が容易である。
【００１５】
態様の他の一つは、上記柵部材の下端面に、置いた時に対向面に面接触する接地面が形成されたものである。
【００１６】
接地面が床面等の対向面に面接触するので、安定よく柵部材を立てることができる。
【００１７】
態様の他の一つは、上記連結部に連結される柵部材に、他の柵部材と重なり合うように結合する結合手段が備えられたものである。結合手段には、たとえばねじ構造や、ボルト等の軸部材及びこれを通す挿通孔、嵌合構造等適宜の手段を採用できる。
【００１８】
柵部材を重なり合うように結合する結合手段が備えられているので、連結部を有する柵部材に連結されてゲートとして作用する部分の長さを必要に応じて長くすることができる。
【００１９】
好ましくは、重なり長さを調節できるような結合手段を採用するのがよい。長さ調節は、段階的にすることも連続的にすることもできる。重なり合う部分の長さが調節可能であれば、設置場所の幅に合わせられ、適切な設置状態が得られる。
【発明の効果】
【００２０】
以上のように、この発明によれば、柵部材を組み替えることによって、ペットを囲い込むサークルやケージとしての使用と、ペットの通過を阻むゲートとしての使用を選択切換することができる。このため、保管場所や購入費用の点で利点を有する。
【発明を実施するための最良の形態】
【００２１】
この発明を実施するための一形態を、以下図面を用いて説明する。  
図１は、サークルとしての使用状態のペット用柵１１を示す斜視図であり、図２はその分解斜視図である。図１に示したように、サークルとして使用するときには平面視長方形枠状をなす。
【００２２】
このペット用柵１１は、４枚の柵部材２１，２２，２３，２４と、これらを連結する連結手段とを有する。
【００２３】
上記柵部材２１，２２，２３，２４は、２枚の長辺側柵部材２１，２２と、２枚の短辺側柵部材２３，２４である。長辺側柵部材２１，２２は、断面長方形をなす長方形枠状に形成された枠体２５と、該枠体２５の内側に取り付けられたフェンス体２６とからなる。枠体２５は、木材や合成樹脂等の適宜材料で形成され、フェンス体２６は金属製の線状体を縦横に組んで形成される。
【００２４】
枠体２５は、断面長方形であるので、下端面には、置いた時に床面等に面接触する接地面２５ａが形成されることになる。ほかに、左右両端面や前後（内外）両面にも平らな面が形成される。
【００２５】
同様に、短辺側柵部材２３，２４も、断面長方形をなす長方形枠状に形成された枠体２５と、該枠体２５の内側に取り付けられたフェンス２６とからなるが、上記枠体２５の幅方向の中間部には、横断面よこなが長方形をなす柱状の柱状部２７が形成されている。この柱状部２７の幅は、長辺側柵部材２１，２２の左右両端における小口部分（左右両端面）の幅の２倍に設定される。
【００２６】
上記柱状部２７を有するので、フェンス体２６は、柱状部２７を挟む左右両側位置に２枚備えられる。
【００２７】
この短辺側柵部材２３，２４でも、枠体２５は断面長方形であるので、下端面には、置いた時に床面等に面接触する接地面２５ａが形成されることになる。このほか、左右両端面や前後（内外）両面にも平らな面が形成される。
【００２８】
そして、これら柵部材２１，２２，２３，２４には、柵部材２１，２２，２３，２４同士を着脱可能にする連結手段が備えられる。連結手段は、柵部材２１，２２，２３，２４の幅方向の端部２１ａ，２２ａ，２３ａ，２４ａ同士を連結する第１連結手段３１と、短辺側柵部材２３，２４の柱状部２７に長辺側柵部材２１，２２の幅方向における端部２１ａ，２２ａを連結する第２連結手段３２である。
【００２９】
第１連結手段３１、第２連結手段３２ともに、ボルトと、該ボルトが螺合するねじ部と、上記ボルトを挿通する挿通孔とからなる。
【００３０】
具体的に説明すると、第１連結手段３１は、短辺側柵部材２３，２４の枠体２５における左右両端部２３ａ，２４ａの上下方向中間位置に、内外に貫通するように形成された第１挿通孔３３と、長辺側柵部材２１，２２の左右両端部２１ａ，２２ａの小口部分における上下方向の中間位置に形成されたねじ孔３４と、このねじ孔３４に螺合するボルト３５とからなる。
【００３１】
第２連結手段３２は、短辺側柵部材２３，２４の柱状部２７における上下方向の中間位置に、内外に貫通するように形成された第２挿通孔３６と、上記ねじ孔３４、すなわち長辺側柵部材２１，２２の左右両側の小口部分における上下方向の中間位置に形成されたねじ孔３４と、このねじ孔３４に螺合する上記ボルト３５とからなる。ねじ孔３４とボルト３５は、第１連結手段３１と共通である。
【００３２】
なお、上記第２挿通孔３６は、柱状部２７の幅方向における一方側に寄せて形成され、長辺側柵部材２１または２２を連結した時に、外表面が面一になるように設定されている。
【００３３】
上記ねじ孔３４は、図３に示したようなナット３７や、インサートねじなどの適宜の部材を埋設して形成される。
【００３４】
図中、４１は、短辺側柵部材２３，２４と長辺側柵部材２１，２２を連結する時に介在させる補助金具であり、断面Ｔ字形に形成されている。すなわち、外表面に沿う長方形板状の規制片４２と、該規制片４２の幅方向の中間位置に垂設され、柵部材２１，２２，２３，２４間に挟まれる被挟持片４３とを有し、該被挟持片４３の中心部には、上記ボルト３５が挿通される貫通孔４３ａが形成されている。この補助金具４１は、挿通孔３３，３６とねじ孔３４が柵部材２１，２２，２３，２４における上下方向の中間位置の一箇所に形成されているので、連結に際して取り付けられることで、連結される柵部材２１，２２，２３，２４同士の外表面に規制片４２が面接触することになる。このため、相互間の位置関係を規制し、捩れなどの変形を防止することができる。補助金具４１の被挟持片４３には、図示しないが、たとえば菊座状の滑り止めやバネなどの付加構造を形成して、連結状態の保持等に資するようにすることもできる。
【００３５】
また、上記長辺側柵部材２１，２２には、長辺側柵部材２１，２２同士を、これらが重なり合うように結合する結合手段５１が備えられる。この結合手段５１も、ボルトと、該ボルトが螺合するねじ部と、上記ボルトを挿通する挿通孔とからなる。
【００３６】
すなわち、図３に示したように、一方の長辺側柵部材２１における上下両側部には、短辺側柵部材２３に対して連結する側と反対側から中心位置にかけて、内外に貫通する結合用挿通孔５２が適宜間隔おきに形成される。そして、他方の長辺側柵部材２２には、上下方向の両側部に、同じく短辺側柵部材２４に対して連結する側と反対側から中心位置にかけて複数のねじ孔５３が形成される。
【００３７】
上記結合用挿通孔５２とねじ孔５３は、上記ボルト３５に対応する大きさである。すなわち、長辺側柵部材２１，２２同士の結合には、第１連結手段３１および第２連結手段３２を構成するボルト３５を流用する。この意味でボルト３５は結合手段５１の構成要素でもある。
【００３８】
このように構成されたペット用柵１１では、第１連結手段３１と補助金具４１を用いて４枚の柵部材２１，２２，２３，２４の端部２１ａ，２２ａ，２３ａ，２４ａ同士を連結すれば、図１に示したようなサークルが形成できる。４枚の柵部材２１，２２，２３，２４は、それぞれの対向面がともに平面で形成されているので、一定の角度、つまり直角に組み立てられる。そのうえ、各柵部材２１，２２，２３，２４の接地面２５ａが床面等に面接触するので、一定の設置状態が安定して得られる。
【００３９】
このサークルは、ペットを囲むサークルとして使用されるほか、サークルを載置する底板と、必要に応じてサークルの上面を塞ぐ蓋板を取り付ければ、ケージとしても使用できる。
【００４０】
一方、各部材を分解して、図４に示した如く、第２連結手段３２と結合手段５１と補助金具４１を用いて４枚の柵部材２１，２２，２３，２４を連結すれば、図５に示したようなゲートに変形できる。
【００４１】
組み立ては、まず、２枚の短辺側柵部材２３，２４の柱状部２７に対してそれぞれ長辺側柵部材２１，２２の一方側（反結合手段側）端部２１ａ，２２ａの小口部分を第２連結手段３２と補助金具４１で連結する。すなわち、長辺側柵部材２１，２２の一方側端部２１ａ，２２ａの小口部分を短辺側柵部材２３，２４の柱状部２７の内側面に、補助金具４１を介して当接させる。そして、ボルト３５を第２挿通孔３６から挿通してねじ孔３４に螺合する。こうして平面視Ｔ字形をなす２個の部材を組み立てる。このとき、柵部材２１と２３，２２と２４間の連結部分は面接触するとともに、補助金具４１も取り付けているので、直角に固定される。
【００４２】
つぎに、上記２個の部材の長辺側柵部材２１，２２における上下両側部を、結合手段５１と補助金具４１で重なり合う状態に結合する。このとき、複数の結合用挿通孔５２とねじ孔５３のいずれの孔にボルト３５を通すかによって短辺側柵部材２３，２４間に立つ部分の長さが段階的に調節できる。
【００４３】
上記のとおり、ペット用柵１１を構成する４本のボルト３５と４個の補助金具４１は、サークルの形態をなすときも、ゲートに変形された時もすべて使用される。
【００４４】
このようなゲートは、部屋の出入り口や廊下などの通路に、短辺側柵部材２３，２４を壁面等に沿うようにして設置して使用される。各短辺側柵部材２３，２４が長辺側柵部材２１，２２を立てるので、ペットが当たっても倒れない状態に保持できる。また、短辺側柵部材２３，２４が壁面等に当たるように設置することで、位置ずれも防止できる。
【００４５】
なお、図示例では上記ボルト３５が枠体２５から突出するように表現したが、ボルト３５が枠体２５内に収まるように形成するのが好ましい。壁面等に対して接触した時に壁面等に傷をつけることがないからである。
【００４６】
上述のようにペット用柵１１は、柵部材２１，２２，２３，２４を組み替えることによって、ペットを囲い込むサークルやケージとしての使用と、ペットの通過を阻むゲートとしての使用を選択切換することができる。このため、一方の機能が不要な場合の保管や購入費用の点で有利である。
【００４７】
また、柵部材２１，２２，２３，２４の連結や結合を行う手段は、ボルトと挿通孔とねじ孔で構成されている。挿通孔３３，３６とねじ孔３４は柵部材２１，２２，２３，２４に対して一体に形成され、ボルト３５は、分離状態、組み立て状態いずれの状態にあってもねじ孔３４に取り付けておくことができるので、別途に用意される手段で連結する場合にして、組み立てや組み替え作業や部品の管理が容易であり紛失することもない。しかも、サークル、ゲートいずれの場合もすべてのボルト３５と補助金具４１を使用するので、無駄がなく、部材を有効に活用できる。
【００４８】
さらに、結合手段５１は、長辺側柵部材２１，２２同士の重なり長さを調節できるように構成されているので、設置場所の幅に合わせて適切な設置状態が得られる。
【００４９】
なお、ゲートとしての使用は、たとえば図６に示したような形態で使用することもできる。すなわち、図６（ａ）に示したように、一方の短辺側柵部材２４と長辺側柵部材２２との連結は、平面視Ｌ字形に行うもよい。他方側の短辺側柵部材２３部分がＴ字形をなすので、起立状態は保てる。また、図６（ｂ）に示したように、一方の短辺側柵部材２４も長辺側柵部材２２に対して結合手段（図示せず）で重ね合わせるように結合可能に構成するもよい。ペットの通過を阻む部分の長さをより長くとることができる。この場合も、他方側の短辺側柵部材２３部分がＴ字形をなすので、起立状態を保持できる。
【００５０】
以下、その他の形態について説明する。この説明において、上記構成と同一または同等の部位については上記構成の説明と同一の符号を付して、その詳しい説明は省略する。  
図７は、補助金具４１なしでも堅固な形態保持力を有するペット用柵１１である。すなわち、第１連結手段３１および第２連結手段３２を構成する挿通孔３３，３６とねじ孔３４を上下方向の２箇所ずつに形成し、８本のボルト３５を使用する。
【００５１】
このような構成のペット用柵１１では、補助金具４１を不要にすることができるとともに、結合手段５１による結合に使用するボルト３５を、上下においてそれぞれ２本ずつ使用できるので、結合手段５１による結合状態をより強固にすることができる。
【００５２】
図８は、第１連結手段３１および第２連結手段３２を、長尺の軸部材６１を用いて構成した例を示す。
【００５３】
すなわち、長辺側柵部材２１，２２の左右両端部２１ａ，２２ａにおける上下両端には、外側に突出する突片６２，６３が形成され、該突片６２，６３のうち、上側の突片６２には、上記軸部材６１を貫通する貫通孔６２ａが、下側の突片６３には、上記軸部材６１の下端を受ける凹部６３ａが形成されている。一方、短辺側柵部材２３，２４の左右両端部２３ａ，２４ａにおける上下両端には、上記突片６２，６３が噛合する凹所６４が形成され、上下の凹所６４間に、上記軸部材３７を挿通保持する第１挿通孔６５が形成されている。同様に、短辺側柵部材２３，２４の柱状部２７位置における上下両端にも上記突片６２，６３が噛合する凹所６６が形成され、上記軸部材６１を挿通保持する第２挿通孔６７が形成されている。
【００５４】
結合手段５１は、一方の長辺側柵部材２１における上下両側部の一端側に保持された結合用ボルト６８と、他方の長辺側柵部材２２における上下両側部に形成された複数のねじ孔５３で構成される。上記結合用ボルト６８は、頭部６８ａとねじ部６８ｂとを有し、長辺側柵部材２１に一体に保持される。すなわち、長辺側柵部材２１の枠体２５には、結合用ボルト６８の頭部６８ａを収容可能にする大きさの凹部２５ｂが形成され、この中央に結合用ボルト６８のねじ部６８ｂがＥリング６８ｃで出没方向に摺動可能および回転可能に保持される。また、結合用ボルト６８の頭部６８ａの内側面と凹部２５ｂの内底面との間には、バネ６９が収容され、結合用ボルト６８を突出方向に付勢し、不必要にがたつかないように構成されている。また、結合用ボトル６８の頭部６８ａには、回転力入力用の凹溝６８ｄが形成される。
【００５５】
このように構成されたペット用柵１１では、短辺側柵部材２３，２４と長辺側柵部材２１，２２を、その突片６２，６３と凹所６４，６６同士を噛合させたのち、軸部材６１を貫通孔６２ａと挿通孔６５，６７に落とし込めば、直角に連結できる。ねじを回転する必要がないので作業が容易である。
【００５６】
また、結合手段５１による結合は、対向する部分同士をつきあせて、結合用ボルト６８を押し込みながら回転させれば、結合用ボルト６８のねじ部６８ｂがねじ孔５３に螺合し、結合が完了する。  
このように、組み立て作業が容易である。
【００５７】
なお、図９に示したように、短辺側柵部材２３，２４の柱状部２７位置に形成される凹所６６を、長辺側柵部材２１，２２の突片６２，６３の回転を許容する形状に設定するとともに、長辺側柵部材２１，２２の突片６２，６３の平面視形状を略半円形に形成し、同様にその端部２１ａ，２２ａの小口部分を断面凸の半円形状に形成すると、長辺側柵部材２１，２２と短辺側柵部材２３，２４との間の角度を変更可能に構成できる。  
このように構成すると、設置場所の形状に柔軟に対応させることが可能となる。
【００５８】
図１０は、第１連結手段３１、第２連結手段３２および結合手段５１を、嵌合構造を用いて構成した例を示す。
【００５９】
すなわち、長辺側柵部材２１，２２の左右両短部２１ａ，２２ａにおける小口部分の上下両端には、外側に突出する嵌合突起７１が形成される。該嵌合突起７１は、アリ溝に嵌合する、外側ほど幅広の形態をなす。一方、短辺側柵部材２３，２４の内側面における上下両側部の左右両端部２３ａ，２４ａと中間位置には、上記嵌合突起７１が嵌合するアリ溝状の嵌合凹部７２，７３が形成される。上側の嵌合凹部７２，７３は、その上端を枠部材２５の上面に開口し、下側の嵌合凹部のうち、左右両側の嵌合凹部７２の上側位置には、嵌合突起７１を収容可能にする収容部７４が形成され、この収容部７４に嵌合凹部７２の上端が開口している。また、上下の両嵌合凹部７２，７３の下端はともに閉口している。
【００６０】
左右両端部２３ａ，２４ａの嵌合凹部７２が第１連結手段３１を構成し、中間位置の嵌合凹部７３が第２連結手段３２を構成する。短辺側柵部材２３，２４には、上述例のような柱状部２７が不要であるので、第２連結手段３２を構成する下側の嵌合凹部７３の上側には上記収容部は不要で、嵌合凹部７３の上端は枠体２５の上面に開口する。上記嵌合凹部７３を含むその近傍部位（嵌合凹部近傍部２５ｃ）が、長辺側柵部材２１，２２の端部を着脱可能に平面からなる連結する連結部である。
【００６１】
結合手段５１は、双方の長辺側柵部材２１，２２における上下両側部の内側面に形成された凹凸部７５で構成される。すなわち、凹凸部７５は、アリ溝状の凹溝７５ａと、該凹溝７５ａが嵌合する突出部７５ｂとを等間隔で交互に配設した構成である。
【００６２】
このように構成されたペット用柵１１では、短辺側柵部材２３，２４と長辺側柵部材２１，２２を、その嵌合突起７１と嵌合凹部７２，７３とを対向させるとともに、長辺側柵部材２１，２２を上方へずらしたのち落とし込むようにして嵌合させれば、直角に連結できる。単に嵌合させるだけであるので作業が容易である。
【００６３】
また、結合手段５１による結合も、対向する部分同士をつきあせたのち、一方側を上方にずらしてから落とし込むようにして嵌合すれば、対向する相互の凹凸部７５が嵌合して結合が完了する。
【００６４】
このように、組み立て作業が容易である。しかも、嵌合突起７１と嵌合凹部７２，７３、また凹凸部７５の上下方向の長さは、枠体２５の上下両側部の長さよりも短いので、嵌合作業に当たっての移動距離を短くでき、作業性が良好である。
【００６５】
また、短辺側柵部材２３，２４には柱状部２７が不要であるので、フェンス体２６の部分を多くでき、内外双方からの視認性が良好であるという利点も有する。
【００６６】
なお、図１１に示したように、結合手段５１を、横に長いアリ溝状の嵌合溝７６と、該嵌合溝７６に嵌合する嵌合突状７７で構成すると、結合手段５１を用いての結合を連続的な長さ調節可能に行える。より細かな幅調節ができるので、どのような設置場所にでも適切に取り付けることが可能となる。
【００６７】
この発明の構成と、上記一形態の構成との対応において、  
この発明の連結部は、上記一形態における柱状部２７と嵌合凹部近傍部２５ｃに対応し、
連結手段は、第２連結手段に対応するも、  
この発明は、上記一形態の構成のみに限定されるものではなく、その他の形態を採用することができる。
【００６８】
たとえば、柵部材は４枚より多い数であるもよい。  
また、連結部は、柵部材の中間位置ではなく、左右方向の一方または双方に偏った位置に設けられるもよい。
【００６９】
さらに、上記図１から図５に示したペット用柵の例では、２枚の長辺側柵部材２１，２２における結合手段の構造を違えたが、双方ともにねじ孔を形成すれば、同一構造の長辺側柵部材でペット用柵を構成できる。
【図面の簡単な説明】
【００７０】
【図１】サークルとして使用するペット用柵の斜視図。
【図２】ペット用柵の分解斜視図。
【図３】一部破断平面図。
【図４】ゲートに組み立てるときの組み立て方を示す分解斜視図。
【図５】ゲートとして使用するペット用柵の斜視図。
【図６】ペット用柵の他の例を示す説明図。
【図７】他の例に係るペット用柵の要部斜視図。
【図８】他の例に係るペット用柵の要部斜視図。
【図９】他の例に係るペット用柵の部分斜視図。
【図１０】他の例に係るペット用柵の分解斜視図。
【図１１】他の例に係るペット用柵の柵部材の斜視図。
【符号の説明】
【００７１】
１１…ペット用柵
２１，２２…長辺側柵部材
２３，２４…短辺側柵部材
２１ａ，２２ａ，２３ａ，２４ａ…端部
２５ａ…接地面
２５ｃ…嵌合凹部近傍部
２７…柱状部
３２…第２連結手段
５１…結合手段
【図１】
2007189938.tif 000003
【図２】
2007189938.tif 000004
【図３】
2007189938.tif 000005
【図４】
2007189938.tif 000006
【図５】
2007189938.tif 000007
【図６】
2007189938.tif 000008
【図７】
2007189938.tif 000009
【図８】
2007189938.tif 000010
【図９】
2007189938.tif 000011
【図１０】
2007189938.tif 000012
【図１１】
2007189938.tif 000013